(57)【要約】【課題】誌面レイアウトデータからＷＥＢ／携帯端末表示用画像を作成する作業について、作業者の負担の軽減、人的ミスの軽減、また仕様変更時に迅速に対応できる環境を提供する。【解決手段】誌面レイアウトデータに指定画像を貼りこむ画像付加手段と、  誌面レイアウトデータから単ページ画像を作成する単ページ画像作成手段と、  単ページ画像から見開きページ画像を作成する見開きページ画像作成手段と、  見開きページ画像からＷＥＢ／携帯端末表示用画像を作成する画像作成手段と、  を備えることを特徴とする画像作成装置。【選択図】図１
2006318079.tif 000002
【特許請求の範囲】
【請求項１】
誌面レイアウトデータに指定画像を貼りこむ画像付加手段と、
誌面レイアウトデータから単ページ画像を作成する単ページ画像作成手段と、
単ページ画像から見開きページ画像を作成する見開きページ画像作成手段と、
見開きページ画像からＷＥＢ／携帯端末表示用画像を作成する画像作成手段と、
を備えることを特徴とする画像作成装置。
【請求項２】
前記画像付加手段は誌面レイアウトデータから読み出した情報を解析し、適切な座標に指定画像を貼りこむ機能を有することを特徴とする請求項１に記載の画像作成装置。
【請求項３】
前記単ページ画像作成手段は前記画像付加手段にて画像付加された誌面レイアウトデータを単ページ単位に分割、出力する機能を有することを特徴とする請求項１又は２に記載の画像作成装置。
【請求項４】
前記見開きページ画像作成手段は前記単ページ画像作成手段にて作成された複数の単ページ画像を解析し、実際の誌面上で隣り合う単ページ画像を探し出し、一つの見開きページ画像として出力する機能を有することを特徴とする請求項１〜３の何れか１項に記載の画像作成装置。
【請求項５】
前記画像作成手段は前記見開きページ画像作成手段にて作成された見開きページ画像の解像度や画像サイズをＷＥＢ／携帯端末表示用に調整し出力、結果表示する機能を有することを特徴とする請求項１〜４の何れか１項に記載の画像作成装置。
【請求項６】
請求項１〜５の何れか１項に記載の画像作成装置で作成された画像をサーバに格納する工程と、
該サーバがユーザからの表示要求を受け取ることで該画像を提供する工程と、
を含むことを特徴とする画像提供方法。
【発明の詳細な説明】
【技術分野】
【０００１】
本発明は、誌面レイアウトデータからＷＥＢ／携帯端末表示用画像を作成する画像作成装置と、この画像を提供する画像提供方法とに関する。
【背景技術】
【０００２】
誌面レイアウトデータからのＷＥＢ／携帯端末表示用画像作成は、誌面レイアウトデータへの画像の貼り込み、単ページ画像の作成、見開き画像の作成、ＷＥＢ／携帯端末表示用画像の作成の各工程を経て行われるが、これまで全て手作業で行ってきたため、誌面レイアウトデータごとに処理結果に若干のずれが生じてしまうなどのミスが生じる可能性が高い。また処理の各工程において時間もかかり非効率である。
【０００３】
貼り込まれる画像、ＷＥＢ／携帯端末表示用画像の解像度や画像サイズ等に仕様変更が生じた際に、誌面レイアウトデータからのＷＥＢ／携帯端末表示用画像を作成する各工程がバラバラに処理されている状態だと、全作業員に変更内容の通知や説明が必要となり、些細な変更であったとしても手間がかかる。
【０００４】
誌面を実際に目で見るのと同様のサービスをＷＥＢ／携帯端末にて提供するために、誌面と同じ見開きページ単位で画像を作成するという要求がある。
【０００５】
誌面レイアウトデータの構成にはページ数に関する規則性がなく、見開き単位でまとめられているケースや単ページごとに区切られているケース等、各誌面レイアウトデータごとに様々である。また誌面レイアウトデータを作成するレイアウトソフトの種類によっても構成方法は変わってくる。どのような構成の誌面レイアウトデータを受け取っても処理が可能であるように、一旦全てのページを単ページ画像として出力してから、それらを用いて見開き画像を作成するという工程が必要となる。
【０００６】
従来の画像作成方法は、元となるデータからページ情報や画像情報を取り出し、その情報を基にして、ＷＥＢなどのコンテンツとして画像作成を行うものがあった（例えば、特許文献１を参照）。しかしながら、これらの技術では、全く新しいフォーマットでコンテンツ作成をする場合には好適であるが、誌面レイアウトそのままをコンテンツとするような場合、誌面上では見開きでも元となる誌面レイアウトデータ上では見開きとして構成されていなかったり、ページ間を同画像がまたがっていたりと、誌面上の見かけと実際のデータ構成が統一されていない場合が多くあり、その場合は画像作成を行う前に手作業で元データを整形しなければならないという不具合があった。
【特許文献１】特開２００３−２０８４１９号公報
【発明の開示】
【発明が解決しようとする課題】
【０００７】
本発明は、少なくとも以下の各課題の何れか一つを解決することを課題とする。
【０００８】
まず、誌面レイアウトデータからＷＥＢ／携帯端末表示用画像を作成する作業について、作業者の負担の軽減、人的ミスの軽減、また仕様変更時に迅速に対応できる環境を提供することを課題とする。また、元となるデータ内から取り出した情報だけでなく、元となるデータ内には存在しなかった新しい画像を貼り込んだ上で画像作成を行う事を可能とすることを課題とする。また、誌面上の見開きとは異なる構成で作成された誌面レイアウトデータからでも、誌面上と同様の画像を作成することを可能とすることを課題とする。
【課題を解決するための手段】
【０００９】
請求項１に係る発明は、
誌面レイアウトデータに指定画像を貼りこむ画像付加手段と、
誌面レイアウトデータから単ページ画像を作成する単ページ画像作成手段と、
単ページ画像から見開きページ画像を作成する見開きページ画像作成手段と、
見開きページ画像からＷＥＢ／携帯端末表示用画像を作成する画像作成手段と、
を備えることを特徴とする画像作成装置である。
【００１０】
請求項２に係る発明は、
前記画像付加手段は誌面レイアウトデータから読み出した情報を解析し、適切な座標に指定画像を貼りこむ機能を有することを特徴とする請求項１に記載の画像作成装置である。
【００１１】
請求項３に係る発明は、
前記単ページ画像作成手段は前記画像付加手段にて画像付加された誌面レイアウトデータを単ページ単位に分割、出力する機能を有することを特徴とする請求項１又は２に記載の画像作成装置である。
【００１２】
請求項４に係る発明は、
前記見開きページ画像作成手段は前記単ページ画像作成手段にて作成された複数の単ページ画像を解析し、実際の誌面上で隣り合う単ページ画像を探し出し、一つの見開きページ画像として出力する機能を有することを特徴とする請求項１〜３の何れか１項に記載の画像作成装置である。
【００１３】
請求項５に係る発明は、
前記画像作成手段は前記見開きページ画像作成手段にて作成された見開きページ画像の解像度や画像サイズをＷＥＢ／携帯端末表示用に調整し出力、結果表示する機能を有することを特徴とする請求項１〜４の何れか１項に記載の画像作成装置である。
【００１４】
請求項６に係る発明は、
請求項１〜５の何れか１項に記載の画像作成装置で作成された画像をサーバに格納する工程と、
該サーバがユーザからの表示要求を受け取ることで該画像を提供する工程と、
を含むことを特徴とする画像提供方法である
【発明の効果】
【００１５】
請求項１の発明によれば、作業者が最初に誌面レイアウトデータの情報を入力するだけでＷＥＢ／携帯端末表示用画像を作成するところまで自動で行え、仕様変更時は設定ファイルの記述を変更する事で柔軟な対応ができるという効果がある。従って、誌面レイアウトデータからＷＥＢ／携帯端末表示用画像を作成する作業について、作業者の負担の軽減、人的ミスの軽減、また仕様変更時に迅速に対応できる環境を提供できるという効果がある。また請求項１の発明によれば、元となるデータ内から取り出した情報だけでなく、元となるデータ内には存在しなかった新しい画像を貼り込んだ上で画像作成を行う事を可能とするという効果がある。
【００１６】
請求項２の発明によれば、前記画像付加手段は誌面レイアウトデータから読み出した情報を解析し、適切な座標に指定画像を貼りこむ機能を有することによって、誌面レイアウトデータごとの画像貼り込み座標を計算し貼り込む事が可能となるという効果がある。
【００１７】
請求項３の発明によれば、前記単ページ画像作成手段は前記画像付加手段にて画像付加
された誌面レイアウトデータを単ページ単位に分割、出力する機能を有することによって、誌面レイアウトデータから作成される単ページ画像と、誌面上でのページ数を関連付けることが可能であるという効果がある。
【００１８】
請求項４の発明によれば、前記見開きページ画像作成手段は前記単ページ画像作成手段にて作成された複数の単ページ画像を解析し、実際の誌面上で隣り合う単ページ画像を探し出し、一つの見開きページ画像として出力する機能を有することによって、誌面上の見開きとは異なる構成で作成された誌面レイアウトデータからでも、誌面上と同様の画像を作成することを可能とし、必要となる単ページ画像データだけを選択処理することが可能であるという効果がある。
【００１９】
請求項５の発明によれば、前記画像作成手段は前記見開きページ画像作成手段にて作成された見開きページ画像の解像度や画像サイズをＷＥＢ／携帯端末表示用に調整し出力、結果表示する機能を有することによって、ＷＥＢ上に表示する際の仕様に変更が生じた時に迅速かつ的確に対処でき、また作業結果を作業者が一目で確認することができるという効果がある。
【００２０】
請求項６の発明によれば、画像作成装置で作成された画像を、ユーザからの表示要求を受けることで提供できるという効果がある。
【発明を実施するための最良の形態】
【００２１】
以下、図面を参照し本発明の最良の一実施形態を説明する。図１は画像作成装置の構成例を示すブロック図である。図１に示す画像作成装置において、ＣＰＵ（中央処理装置）は装置全体の制御を行う。記憶部はメモリやハードディスク等の記憶装置で構成されており、ＣＰＵで実行されるプログラムや各種データを記憶する。操作部はキーボード、マウス等の入力デバイスで構成されており作業者により入力されたデータをＣＰＵに渡す。表示部は液晶表示装置等の表示装置及び表示制御回路で構成されており、ＣＰＵから受け取った表示データを表示装置の画面上に出力する。入出力インターフェイスは通信回線を介してデータを送受信する機能を有し、これによりインターネット等の通信ネットワークを介してデータをやり取りする事ができる。尚、上記の構成はパーソナルコンピュータ等の汎用のコンピュータシステムと同様である。
【００２２】
図１の記憶部にはＯＳ及び各種のアプリケーションプログラムと共に画像作成プログラムが記憶されている。この画像作成プログラムがＣＰＵによって実行されることで、図１のコンピュータシステムが画像作成装置として機能する。
【００２３】
以下に、上述した画像作成装置の画像作成処理に係る動作を説明する。図２にて、この画像作成処理の流れのフローチャートを示し、フローチャート上での進行位置を、図２に記載したＳ１〜Ｓ１７の番号にて示す。なお、以下の説明においては画像作成装置のＣＰＵが記憶部内に記憶されている画像作成プログラムを実行することにより、画像作成処理が行われる。また、作成された表示用画像の確認のための表示は表示部に出力される。また、画像作成における入力は操作部により行われる。
【００２４】
まず処理を行うコンピュータシステムの環境が画像作成プログラムを実行させるに当たって適切であるかどうかを確認する（Ｓ１）。必要とされるアプリケーションプログラムが記憶部に記憶されていなかったり、コンピュータシステム自体に画像作成プログラムを実行させるだけの性能があるか、画像作成プログラムを実行させるために必要となる設定ファイルが存在しているか、等が主な確認項目である。
【００２５】
上記の画像作成プログラムの設定ファイルは、作業者が処理内容を自由にカスタマイズ
することを可能にするために存在し、貼り込む画像の指定、貼り込む座標の調整、作成するＷＥＢ／携帯端末表示画像の画像サイズや解像度、等が設定可能である。
【００２６】
次に画像作成プログラムを開始する（Ｓ２）。まず図３の処理フォルダ選択画面を表示部に表示させる。図３のＰ０１プルダウンメニューを変更することにより、処理対象フォルダの存在するフォルダ階層を指定する（Ｓ３）。Ｐ０１プルダウンメニューにて選択された階層下の全フォルダがＨ０１表に表示され、その中から選択対象となるフォルダを選ぶ。Ｂ０１ボタンは今現在表示している階層下に新たにフォルダを作成する機能を有する。Ｂ０２ボタンは処理対象フォルダを確認するため今現在選択しているフォルダの内部構造を表示する機能を有する。Ｂ０３ボタンは処理を中断させる機能を有する。Ｂ０４ボタンは今現在選択しているフォルダを処理対象として決定し、次ステップへ処理を進ませる機能を有する。
【００２７】
次に、図３の処理フォルダ選択画面にて選択された処理対象フォルダ内に存在する誌面レイアウトデータに関する情報を、図４の誌面レイアウトデータ情報入力画面にて入力する（Ｓ４）。Ｆ０１入力フィールドには作成するＷＥＢ／携帯端末表示画像のファイル名に付加する接頭文字を入力する。作業者自身が接頭文字を指定することにより処理結果ファイルの見分けがつき易く、後々のデータ管理が容易になる。実際のファイル名は“接頭文字＋ユニークな通し番号”となる。Ｆ０２入力フィールドには処理する誌面レイアウトデータの誌面上でのノンブルを入力する。Ｆ０２入力フィールドに入力されたノンブルと誌面レイアウトデータのページ構成を照らし合わせることで、処理するページ番号が取得できる（Ｓ５）。Ｃ０１チェックボックスは、掲載雑誌の綴じ位置をチェックする。これらの入力情報は、単ページ画像を作成し出力する際のファイル名の構成要素であり、同時に画像を貼り込む際に行う座標計算のためのデータとなる。Ｂ０１ボタンは処理を中断させる機能を有する。Ｂ０２ボタンは入力情報を記憶部に記憶し、次ステップへ処理を進ませる機能を有する。
【００２８】
次に、図４の誌面レイアウトデータ情報入力画面で入力した情報より画像を貼り込む適切な座標を計算する（Ｓ７）。座標は左ページか右ページかによって異なる上、ページ内容の性質によっても異なるため、誌面レイアウトデータのページ数分の解析・座標計算が必要となる。計算により取得した座標に画像を貼り込む。
【００２９】
上記の画像貼り込み座標の計算において、誌面の性質上、他ページとは異なるルールでの貼り込みをすることがある。誌面を構成している誌面レイアウトデータには、複数の誌面レイアウトデータを組み合わせて完全な誌面になるように組まれているものや、表紙ページのように元々見開きではないものも存在する。このような誌面レイアウトデータに画像を貼り込む場合の座標計算方法には通常より若干異なる。
【００３０】
画像を貼り込む座標は、誌面レイアウトデータのページサイズ・貼り込む画像のサイズ・綴じ位置・該当ページの性質の４点と設定ファイルの内容を踏まえて算出される。貼り込む画像の指定、貼り込む座標は作業者によって設定可能である。ここでは“本文開始ページが“３”であり、誌面上の見開きで左上と右下に画像を貼り込む”を例とし、計算方法を記述する。この場合、左ページであれば左上、右ページであれば右下に画像が貼り込まれる。まず該当ページが左ページか右ページかの判定をする。これは雑誌の製本方法と深く関わる。本文開始ページが“３”であるため、右綴じならば偶数ページは右ページ、奇数ページは左ページであり、逆に左綴じならば偶数ページは左ページ、奇数ページは右ページである。また、誌面の性質上、見開き単位ではなく単ページ単位で画像を貼り込むケースも存在し、この場合は単ページ画像の左上と右下の両方に画像を貼り込む（図６参照）。また画像は左上、右下からそれぞれ１０ミリ程度のマージンをとって貼り込まれる。このマージンは貼り込む座標のサイズが大きければ多く、小さければ少なく、と画像作
成プログラム内で適宜変化させる。このため、画像の左上角の座標は
見開き左ページ：（＜マージン＞，＜マージン＞）
見開き右ページ：（＜誌面レイアウトデータサイズＸ＞−＜マージン＞−＜画像サイズＸ＞，＜誌面レイアウトデータサイズＹ＞−＜マージン＞−＜画像サイズY＞）
単ページ：（マージン，マージン）
：（＜誌面レイアウトデータサイズＸ＞／２−＜マージン＞−＜画像サイズＸ＞，＜誌面レイアウトデータサイズＹ＞−＜マージン＞−＜画像サイズＹ＞）
となる。
【００３１】
画像の貼り込みが終了次第、誌面レイアウトデータを単ページ単位で画像として出力する（Ｓ８）。
【００３２】
次に見開き画像を作成、出力する。見開き画像を作成する際には誌面上で見開きを形成している対の単ページ画像が既存である必要があり、既存でない場合は処理をスキップする（Ｓ１１，１２）。見開き画像の作成法は対象となる単ページ画像が誌面上で左側か右側かをファイル情報から解析し、誌面上と同様の見た目になるように並べ一つの画像として出力する（Ｓ１３）。また、表紙ページ等の誌面上で見開きにならない単ページ画像に関しては、見開き画像作成処理はスキップさせる。この処理を対画像が存在する単ページ画像が存在しなくなるまで行う。
【００３３】
上記見開き画像作成処理において作成された見開き画像を、ＷＥＢ／携帯端末表示用にカスタマイズしＷＥＢ／携帯端末表示用画像として出力する（Ｓ１４）。解像度や画像サイズ等の詳細設定は作業者によって適宜変更可能である。
【００３４】
図５に示すように、上記ＷＥＢ／携帯端末表示用画像を表示部に表示させ、作業者が処理結果を目視で確認する（Ｓ１６）。表示を自動で行うことで作業者は必ず目視を行うことになるため、作成されたＷＥＢ／携帯端末表示用画像の出来をその都度確認できる。また他の表示用画像が既にあった場合、図６のように全てを一つのウィンドウに表示させるため、作業者は時間をかける事なく確実に確認することが可能である。
【００３５】
尚、ＷＥＢ／携帯端末表示画像は、確認後、入出力インターフェースから、インターネット等の通信ネットワークを介して、サーバに送られて、このサーバに格納される。このサーバは、格納しているＷＥＢ／携帯端末表示画像に対して、ユーザからの表示要求を、インターネット等の通信ネットワークを介して、ＷＥＢ／携帯端末から受け取ることで、表示要求のあったＷＥＢ／携帯端末表示画像を、インターネット等の通信ネットワークを介して、ＷＥＢ／携帯端末に提供して、ＷＥＢ／携帯端末に表示させる。
【図面の簡単な説明】
【００３６】
【図１】本発明の画像作成装置の構成例を示すブロック図である。
【図２】画像作成処理の流れの例を示すフローチャートである。
【図３】画像作成の対象フォルダの一覧を表示し選択する画面の構成例を示す図である。
【図４】誌面レイアウトデータの情報を入力する画面の構成例を示す図である。
【図５】画像作成の処理結果を表示する画面の構成例を示す図である。
【図６】画像貼り込み位置の例を示す図である。
【図１】
2006318079.tif 000003
【図２】
2006318079.tif 000004
【図３】
2006318079.tif 000005
【図４】
2006318079.tif 000006
【図５】
2006318079.tif 000007
【図６】
2006318079.tif 000008